(57)【要約】【課題】テレビの背面部と壁自体との間の潜在的に利用可能な空間に、統合型高再現性音響システムを備えた取付システムを形成する。【解決手段】統合型音響システムを組み込んだテレビ取付具。前記取付具は、テレビを壁または台座に取り付ける。前記取付具は、電子部品・サブウーハ筐体を備えている。この筐体は、音響アンプおよび低域スピーカを収容する。１以上の外部スピーカ支持体が、好ましくは、電子部品・サブウーハ筐体に支持体を取り付けることによって、取付具に設けられている。取付具からの延長の程度をユーザが調節できるように、スピーカ支持体は調節可能であることが好ましい。【選択図】図１
2012120167.tif 000002
【特許請求の範囲】
【請求項１】
主ブラケットと、統合組立体を構成するように前記主ブラケットに取り付けられた電子部品・サブウーハ筐体と、前記統合組立体に取り付けられた中央支持体と、該中央支持体に取り付けられた中央スピーカ組立体と、テレビと、該テレビに取り付けられるとともに離脱可能に前記主ブラケットに固定された把持ブラケットとを備え、
前記電子部品・サブウーハ筐体が、低音域スピーカと、該低音域スピーカに流体的に接続された共鳴チャンバと、該共鳴チャンバに流体的に接続された低音ポートと、音響アンプとを備え、
前記中央スピーカ組立体及び前記低音域スピーカが前記音響アンプに接続されている、統合型音響映像エンターテイメントシステム。
【請求項２】
前記統合組立体に取り付けられた左側支持体と、該左側支持体に取り付けられた左側スピーカ組立体と、前記統合組立体に取り付けられた右側支持体と、該右側支持体に取り付けられた右側スピーカ組立体とをさらに備えた、請求項１に記載の統合型音響映像エンターテイメントシステム。
【請求項３】
前記中央支持体が、前記統合組立体に対して摺動により調節可能である、請求項１又は２に記載の統合型音響映像エンターテイメントシステム。
【請求項４】
前記中央支持体が、前記統合組立体に対して回動により調節可能である、請求項１，２又は３に記載の統合型音響映像エンターテイメントシステム。
【請求項５】
前記統合組立体に取り付けられた棚をさらに備えた、請求項１〜４のいずれかに記載の統合型音響映像エンターテイメントシステム。
【請求項６】
前記中央支持体、前記左側支持体および前記右側支持体が、前記統合組立体に対して摺動により調節可能である、請求項２に記載の統合型音響映像エンターテイメントシステム。
【請求項７】
前記左側支持体および前記右側支持体が、前記統合組立体に対して回動により調節可能である、請求項２又は６に記載の統合型音響映像エンターテイメントシステム。
【請求項８】
主ブラケットと、主ブラケットに取り付けられた電子部品・サブウーハ筐体と、電子部品・サブウーハ筐体に取り付けられた第１の支持体と、第１の支持体に取り付けられた第１のスピーカ組立体と、テレビと、該テレビに取り付けられるとともに離脱可能に前記主ブラケットに固定された把持ブラケットとを備え、
前記電子部品・サブウーハ筐体が、低音域スピーカと、音響アンプとを備え、
前記第１のスピーカ組立体及び前記低音域スピーカが、前記音響アンプに接続されている、統合型音響映像エンターテイメントシステム。
【請求項９】
前記電子部品・サブウーハ筐体に取り付けられた第２の支持体と、該第２の支持体に取り付けられた第２のスピーカ組立体と、前記電子部品・サブウーハ筐体に取り付けられた第３の支持体と、該第３の支持体に取り付けられた第３のスピーカ組立体とをさらに備えた、請求項８に記載の統合型音響映像エンターテイメントシステム。
【請求項１０】
前記第１の支持体が、前記電子部品・サブウーハ筐体に対して摺動により調節可能である、請求項８又は９に記載の統合型音響映像エンターテイメントシステム。
【請求項１１】
前記第１の支持体が、前記電子部品・サブウーハ筐体に対して回動により調節可能である、請求項８，９又は１０に記載の統合型音響映像エンターテイメントシステム。
【請求項１２】
前記主ブラケットに取り付けられた棚をさらに備えた、請求項８〜１１のいずれかに記載の統合型音響映像エンターテイメントシステム。
【請求項１３】
前記第１の支持体、前記第２の支持体および前記第３の支持体が、前記電子部品・サブウーハ筐体に対して摺動により調節可能である、請求項９に記載の統合型音響映像エンターテイメントシステム。
【請求項１４】
前記第２の支持体および前記第３の支持体が、前記電子部品・サブウーハ筐体に対して回動により調節可能である、請求項９又は１３に記載の統合型音響映像エンターテイメントシステム。
【請求項１５】
主ブラケットと、統合組立体を構成するように前記主ブラケットに取り付けられた電子部品筐体と、前記統合組立体に取り付けられた第１の支持体と、前記第１の支持体に取り付けられた第１のスピーカ組立体と、テレビと、前記テレビに取り付けられるとともに前記統合組立体に離脱可能に固定された把持ブラケットと、前記統合組立体に取り付けられた低音域スピーカとを備え、
前記電子部品筐体が音響アンプを備え、
前記第１のスピーカ組立体及び前記低音域スピーカが前記音響アンプに接続されている、統合型音響映像エンターテイメントシステム。
【請求項１６】
前記統合組立体に取り付けられた第２の支持体と、
前記第２の支持体に取り付けられた第２のスピーカ組立体と、
前記統合組立体に取り付けられた第３の支持体と、
前記第３の支持体に取り付けられた第３のスピーカ組立体とをさらに備えた、請求項１５に記載の統合型音響映像エンターテイメントシステム。
【請求項１７】
前記第１の支持体が、前記統合組立体に対して摺動により調節可能である、請求項１５又は１６に記載の統合型音響映像エンターテイメントシステム。
【請求項１８】
前記第１の支持体が、前記統合組立体に対して回動により調節可能である、請求項１５，１６又は１７に記載の統合型音響映像エンターテイメントシステム。
【請求項１９】
前記統合組立体に取り付けられた棚をさらに備えた、請求項１５〜１８のいずれかに記載の統合型音響映像エンターテイメントシステム。
【請求項２０】
前記第１の支持体、前記第２の支持体および前記第３の支持体が、前記統合組立体に対して摺動により調節可能である、請求項１６に記載の統合型音響映像エンターテイメントシステム。
【請求項２１】
前記第２の支持体および前記第３の支持体が、前記統合組立体に対して回動により調節可能である、請求項１６又は２０に記載の統合型音響映像エンターテイメントシステム。
【発明の詳細な説明】
【技術分野】
【０００１】
本発明は、統合型音響システムを組み込んだテレビ取付具により主構成される統合型音響映像エンターテイメントシステムに関する。
【背景技術】
【０００２】
テレビの本質は、過去数年間で大幅に変化してきた。ブラウン管テレビは、ユニットの奥行きがそれ以外の寸法と同等であり、本質的に嵩高である。ユニットは、これにより見た目が悪く、嵩高のキャビネットは、統合型音響システムを含めるには、かなりの容積となる。正面対角寸法が４０インチ（約１００センチメートル）のブラウン管テレビは、通常、キャビネットの奥行きが約３０インチ（約７５センチメートル）である。
【０００３】
現代的な電子部品の出現とそれらの本質的な空間効率により、ブラウン管テレビ内部で利用可能なキャビネット空間の殆どは、空き空間である。したがって、テレビ製造業者は、比較的大きな音響スピーカ（例えば、４インチ×６インチ）を簡単にキャビネットに組み込むことができる。この寸法のスピーカは、生成音の音質を豊かにすることができる。
【０００４】
ブラウン管不在の設計が出現して、先行技術は大幅に変化した。この様な設計は、一般的に「フラット画面」テレビと呼ばれている。例えば、液晶表示装置（ＬＣＤ）やプラズマ表示装置がある。フラット画面テレビは、一般的に非常に薄型である。実際、殆どの製造業者にとっては、フラット画面テレビの奥行きを制限することが、スタイル設計の目標となってきた。正面対角寸法が４０インチ（約１００センチメートル）のフラット画面テレビは、奥行きが２インチ（５センチメートル）未満である。通常、テレビの周縁部は、更に薄くなっている。周縁部は、厚さが１インチ（２．５センチメートル）未満であることもある。
【０００５】
現代的なフラット画面テレビの映像性能は、ブラウン管テレビよりもかなり高性能である。しかし、フラット画面テレビの「キャビネット」の限られた空間（この様な薄型構造をキャビネットと呼べる程度の空間）には、音響部品のための空間は殆ど残されていない。解決策としては、更に小型の音響トランスデューサを使用することであった。
【０００６】
更なるスタイル設計の目標は、テレビの前面を可能な限りテレビ表示画面自体で占有することであった。したがって、既存の音響トランスデューサは、ほぼ適切な向きに配置されているにすぎない場合が多い。すなわち、スピーカコーンが、テレビの側方または後方を向いており、音響エネルギーは、ユーザに向けられていない。結果的に、この様な装置の映像性能は、著しく向上しているが、音響性能は、良くても停滞気味であり、大抵の場合、劣化している。
【０００７】
高性能フラット画面テレビを購入する消費者は、音質が映画館で聞こえる音量や音域に匹敵する「ホームシアター」の体験を望んでいる場合がある。この様な消費者は、現代的なフラット画面テレビの音響性能には満足しないであろう。消費者は、この問題を解決するために、付加的な部材を組み込まざるを得ない。
【０００８】
ホームシアターシステムの音響に関する解決策は、多種多様であり、複雑である。図１に、簡単な一例を示す。フラット画面テレビ１０は、市販の取付システムの１つを利用して壁に取り付けられている。コンポーネント部品は、ラック２４（単純な電子機器ラックから、部材を覆い隠すように特に設計された優雅な家具調のものまで、どのようなものであってもよい）に収容される。ラック２４は、通常、ケーブルデコーダボックスやＤＶＤプレーヤ、ビデオゲームコンソール、アンプ１２を収容している。アンプは、左側、中央、右側、後方チャンネルと呼ばれる少なくとも４つのチャンネル（「サブウーハチャンネル」として公知）に音響信号を分離する、洗練されたＰＲＯ／ＬＯＧＩＣデコーディングシステム（例えば、カリフォルニア、サンフランシスコのドルビーラボラトリーズ提供）であってもよい。
【０００９】
ケーブルが、ラック２４とフラット画面テレビ１０との間に通されている。この例においては、２チャンネル音響ケーブル１４が、テレビからアンプ１２まで通されている。他の例においては、１本のＨＤＭＩケーブルが、ケーブルボックスとアンプとを接続し、別のＨＤＭＩケーブルがアンプからテレビまで通されていてもよい。この様な構成は、アンプとテレビとの間の有線接続である。
【００１０】
スピーカも、アンプに接続されている。左側チャンネルスピーカ２２は、スピーカケーブル２６を介して接続されている。中央チャンネルスピーカ１６は、それ自体のケーブル（図示せず）を介して接続されている。右側チャンネルスピーカ２０およびサブウーハ１８も、スピーカケーブル２６を介して接続されている。
【発明の概要】
【発明が解決しようとする課題】
【００１１】
図１に示すシステムは、ほぼ良好な音響性能を提供している。しかし、読者は、この状況の皮肉さに簡単に気付くであろう。製造業者は、更に薄型のフラット画面テレビの製造の際に、ホームエンターテイメントシステムの視覚的な観点から優雅かつ「綺麗」な外観を作り上げてきた。しかし、そうすることによって、テレビ自体の音響性能が、受け入れ難いほど低レベルに低下してしまった。この問題に対する利用可能な救済策は、その他多数の部材やケーブルを追加することであるが、これによって、本来追求してきた視覚的な審美性を完全に損ねることになる。
【００１２】
本発明は、外部音響システムをテレビ取付具に統合することによって、このジレンマを解決することを探求する。現代的なテレビ取付具を、テレビの背面部またはテレビの基部に取り付ける。通常、テレビのすぐ後ろの容積は、利用しない。
【００１３】
図２に、テレビの一般的な壁面取付システムを示す。この例においては、ブラケット取付ボルト３６を壁ブラケット２８に挿通して間柱またはコンクリート壁にねじ込むことによって、壁ブラケット２８を壁に取り付ける。ＴＶ取付ボルト３４を縦型部材３２に挿通してテレビ側にねじ込むことによって、ＴＶブラケット３０上の縦型部材３２をフラット画面テレビの背面部に取り付ける。そして、（テレビを取り付けた状態で）ＴＶブラケット３０を壁ブラケット２８に摺動係合させる。
【００１４】
その他多数の取付システムが存在する。これらその他のシステムの中には、所定位置へと摺動するのではなく回動することによって、ＴＶブラケットを壁ブラケットに取り付けるものもある。壁に取り付ける第１の部分と、テレビに取り付ける第２の部分とを備えるという一般的な概念は、殆ど全ての従来の取付システムに利用されている。
【００１５】
通常、テレビの背面部と壁自体との間には、大きな間隙が残されている。この間隙は、取付具自体によってほとんど占められている。本発明は、この潜在的に利用可能な空間に、統合型高再現性音響システムを備えた取付システムを形成することによって、この空間を活用することを探求する。
【課題を解決するための手段】
【００１６】
本発明は、統合型音響システムを組み込んだテレビ取付具である。前記取付具は、テレビを壁に取り付ける。あるいは、前記取付具は、テレビおよび付随の音響装置を平坦面上に配置できるように、台座が組み込まれている。適切な設計の主ブラケットおよびテレビブラケットが、含まれている。先行技術と同様に、主ブラケットは、壁に取り付けることができ、テレビブラケットは、テレビに取り付けることができる。この２つの部材は、ユーザが、複雑な作業の必要なしに壁にテレビを掛けることができるように、簡単に係合するように設計されていることが好ましい。
【００１７】
主ブラケットは、電子部品・サブウーハ筐体を取り付ける。この筐体は、音響アンプ（ＰＲＯ／ＬＯＧＩＣシステムなどの洗練された周波数分離装置であってもよい）および低域スピーカを収容する。低域スピーカが音響スペクトルの低域部分を正確に表現できるように、共鳴チャンバおよび低音ポートが、電子部品・サブウーハ筐体に含まれている。
【００１８】
１以上の外部スピーカ支持体が、好ましくは、電子部品・サブウーハ筐体に支持体を取り付けることによって、取付具に設けられている。スピーカ支持体は、ユーザが取付具からの延長の程度を調節できるように、調節可能であることが好ましい。
【００１９】
好適な実施形態においては、個別に調節可能な支持体が、左側スピーカ、中央スピーカ、右側スピーカのために設けられている。適切な音響スピーカが、スピーカ支持体に取り付けられている。そして、取付具に取り付けられたテレビの周縁部を超えて配置されるように、スピーカの位置が調節される。電子部品・サブウーハ筐体内に収容された電子部品にスピーカを有線接続してもよい。所望であれば、各スピーカへの信号を無線で送信してもよい。結果的に、単一の審美的に綺麗なパッケージに全ての部材が配置された統合型音響映像システムとなる。
【００２０】
より詳細には、本発明は、主ブラケットと、統合組立体を構成するように前記主ブラケットに取り付けられた電子部品・サブウーハ筐体と、前記統合組立体に取り付けられた中央支持体と、該中央支持体に取り付けられた中央スピーカ組立体と、テレビと、該テレビに取り付けられるとともに離脱可能に前記主ブラケットに固定された把持ブラケットとを備え、前記電子部品・サブウーハ筐体が、低音域スピーカと、該低音域スピーカに流体的に接続された共鳴チャンバと、該共鳴チャンバに流体的に接続された低音ポートと、音響アンプとを備え、前記中央スピーカ組立体及び前記低音域スピーカが前記音響アンプに接続されている、統合型音響映像エンターテイメントシステムである。
【００２１】
好ましくは、前記統合組立体に取り付けられた左側支持体と、該左側支持体に取り付けられた左側スピーカ組立体と、前記統合組立体に取り付けられた右側支持体と、該右側支持体に取り付けられた右側スピーカ組立体とをさらに備えることができる。
【００２２】
前記中央支持体が、前記統合組立体に対して摺動により調節可能であってよい。
【００２３】
前記中央支持体が、前記統合組立体に対して回動により調節可能であってよい。
【００２４】
前記統合組立体に取り付けられた棚をさらに備えることができる。
【００２５】
前記中央支持体、前記左側支持体および前記右側支持体が、前記統合組立体に対して摺動により調節可能であってよい。
【００２６】
前記左側支持体および前記右側支持体が、前記統合組立体に対して回動により調節可能であってよい。
【００２７】
また、本発明は、主ブラケットと、主ブラケットに取り付けられた電子部品・サブウーハ筐体と、電子部品・サブウーハ筐体に取り付けられた第１の支持体と、第１の支持体に取り付けられた第１のスピーカ組立体と、テレビと、該テレビに取り付けられるとともに離脱可能に前記主ブラケットに固定された把持ブラケットとを備え、前記電子部品・サブウーハ筐体が、低音域スピーカと、音響アンプとを備え、前記第１のスピーカ組立体及び前記低音域スピーカが、前記音響アンプに接続されている、統合型音響映像エンターテイメントシステムである。
【００２８】
好ましくは、前記電子部品・サブウーハ筐体に取り付けられた第２の支持体と、該第２の支持体に取り付けられた第２のスピーカ組立体と、前記電子部品・サブウーハ筐体に取り付けられた第３の支持体と、該第３の支持体に取り付けられた第３のスピーカ組立体とをさらに備えることができる。
【００２９】
前記第１の支持体が、前記電子部品・サブウーハ筐体に対して摺動により調節可能であってよい。
【００３０】
前記第１の支持体が、前記電子部品・サブウーハ筐体に対して回動により調節可能であってよい。
【００３１】
前記主ブラケットに取り付けられた棚をさらに備えることができる。
【００３２】
前記第１の支持体、前記第２の支持体および前記第３の支持体が、前記電子部品・サブウーハ筐体に対して摺動により調節可能であってよい。
【００３３】
前記第２の支持体および前記第３の支持体が、前記電子部品・サブウーハ筐体に対して回動により調節可能であってよい。
【００３４】
また、本発明は、主ブラケットと、統合組立体を構成するように前記主ブラケットに取り付けられた電子部品筐体と、前記統合組立体に取り付けられた第１の支持体と、前記第１の支持体に取り付けられた第１のスピーカ組立体と、テレビと、前記テレビに取り付けられるとともに前記統合組立体に離脱可能に固定された把持ブラケットと、前記統合組立体に取り付けられた低音域スピーカとを備え、前記電子部品筐体が音響アンプを備え、前記第１のスピーカ組立体及び前記低音域スピーカが前記音響アンプに接続されている、統合型音響映像エンターテイメントシステムである。
【００３５】
好ましくは、前記統合組立体に取り付けられた第２の支持体と、前記第２の支持体に取り付けられた第２のスピーカ組立体と、前記統合組立体に取り付けられた第３の支持体と、前記第３の支持体に取り付けられた第３のスピーカ組立体とをさらに備えることができる。
【図面の簡単な説明】
【００３６】
【図１】従来のホームシアター設置を示す斜視図である。
【図２】従来のテレビ取付具を示す斜視図である。
【図３】本発明に従って作製した壁ブラケットを示す斜視図である。
【図４】壁ブラケットへの電子部品・サブウーハ筐体、スピーカ支持体およびスピーカの付加を示す斜視図である。
【図５】典型的なフラット画面テレビの背面部を示す斜視図である。
【図６】フラット画面テレビの背面部への１対のＴＶブラケットの付加を示す斜視図である。
【図７】各ＴＶブラケットへの把持ブラケットの付加を示す斜視図である。
【図８】壁ブラケットへのフラット画面テレビの取り付けを示す斜視図である。
【図９】本発明により取り付けられたテレビを示す斜視図である。
【図１０】テレビの背面への部材の配置を示す側面図である。
【図１１】電子部品・サブウーハ筐体を示す分解斜視図である。
【図１２】電子部品・サブウーハ筐体の内部を示す斜視図である。
【図１３】オプションの懸架棚を示す斜視図である。
【図１４】中央スピーカをテレビの上方に配置した別の実施形態を示す斜視図である。
【図１５】台座が設けられた更に別の実施形態の斜視図である。
【発明を実施するための形態】
【００３７】
本発明は、フラット画面テレビおよび外部音響システムを統合型取付具に統合する。図３は、統合部材が主ブラケット３８である実施形態を示す。この部材は、上側フランジ４０と、２つの下側フランジ４２とを備えている。２つの下側フランジは、中央の間隙によって分離されている。多数の取付スロット４６が設けられており、（従来の取付ブラケットでも公知のように、）ユーザが、これらのスロットを介してねじやボルトを壁に取り付けたり、主ブラケット３８を壁に取り付けたりできるようになっている。これらの取付スロット４６を用いて、ユニットを平坦面に配置できるように主ブラケット３８を台座に取り付けてもよい。
【００３８】
筐体取付孔４８が設けられており、電子部品筐体を主ブラケット３８に取り付けできるようになっている。１以上の開口部が主ブラケットを貫通して設けられていることが好ましく、ブラケットに音響および／または映像ケーブルを簡単に挿通できるようになっている。図３に示す実施形態においては、単一の大開口部４４がこの目的のために設けられている。
【００３９】
図４において、電子部品・サブウーハ筐体５０（電子部品筐体）が、主ブラケット３８に取り付けられている。電子部品・サブウーハ筐体は、音響アンプおよび統合型低音域スピーカを収容していることが好ましい（ただし、低音域スピーカを筐体の外側に取り付けることもできる）。主ブラケット３８と電子部品・サブウーハ筐体５０との組み合わせを、「統合組立体」と呼ぶ。この表現は、電子部品筐体と主ブラケットとを統合可能な多数の方法を包含することを意図している。一例として、実際に、（例えば、主ブラケットの平板を筐体の基板とすることによって、）主ブラケットにより電子部品筐体の一部を構成可能なことは、当業者にとって公知である。
【００４０】
中央支持体６２（第１の支持体）、左側支持体５８（第２の支持体）および右側支持体６０（第３の支持体）は、柱状乃至管状部材からなり、すべて統合組立体に取付けられている。図示の実施形態においては、支持体は、実際に電子部品・サブウーハ筐体５０に取付けられている。支持体は、延長可能なように調節できることが好ましい。支持体は、電子部品・サブウーハ筐体の内外に摺動可能である。また、支持体は、その軸心回りの回動及び／又は支持体と統合組立体との接続点回りの回動、その他適宜の回動運動により調節可能であることが好ましい。
【００４１】
左側（第２）スピーカ組立体５２は、左側支持体５８に取り付けられている。中央（第１）スピーカ組立体５６は、中央支持体６２に取り付けられている。右側（第３）スピーカ組立体５４は、右側支持体６０に取り付けられている。スピーカ組立体は、如何なる所望の形態であってもよい。図示の実施形態は、それぞれ直線配置の３つのスピーカを備えている。
【００４２】
電子部品・サブウーハ筐体を設けることが好ましく、電子部品・サブウーハ筐体は、主ブラケットを壁または台座に取り付ける前に、主ブラケットに取り付けられる。図４は、この様な態様を示している。読者は、電子部品・サブウーハ筐体５０が、主ブラケット３８上で取付スロット４６の妨げとならないことに気付くであろう。これにより、ユーザは、図４に示す組立体全体を手にとって、主ブラケット３８の取付スロット４６に数本のブラケット取付ボルト３６を挿通することによって、組立体を壁（または台座）に取り付けることができる。これは、支持体および付随のスピーカ組立体を設置する前または後に行うことができる。
【００４３】
主ブラケットを所定位置に取り付けると、ユーザは、フラット画面テレビを取り付けようとする。図５は、フラット画面テレビ１０を背面から示す。この様なテレビの背面部は、通常、４以上の螺合受部６６を備えている。螺合受部は、テレビを支持ブラケットに取り付けるために設けられた強力な取付ポイントである。
【００４４】
また、テレビの背面部は、通常、Ａ／Ｖ接続ブロック７０と、電源接続部６８とを備えている。電源接続部は、電源コードをプラグインすることができる。Ａ／Ｖ接続ブロックは、通常、ＨＤＭＩ、ＤＶＩ、コンポーネントビデオ、Ｓ−ビデオ、コンポジットビデオ、ＲＧＢ／ＶＧＡ、デジタル光学装置など、多種多数のケーブルの接続を提供する。取付システムは、Ａ／Ｖ接続ブロックおよび電源接続部へのアクセスを提供すべきである。
【００４５】
テレビと主ブラケットとの間の物理的接続は、ほぼ無限に多様な形態をとることができる。したがって、図６、図７、図１０に示す実施形態は、適当に例示と見なされる。この実施形態においては、１対のＴＶブラケット７２が、ＴＶボルト７４をＴＶブラケットに挿通してテレビの背面の螺合受部６６にねじ込むことによって、フラット画面テレビ１０の背面に接続される。
【００４６】
図７において、把持ブラケット７６が、各ＴＶブラケット７２に取り付けられたものとして示されている。各把持ブラケットは、孔部、把持ブラケットおよびＴＶブラケットを貫通する係止ねじ８２を中心として回動する。各ＴＶブラケットの上部は、スロットを有する回動ブラケット８６を備えている。各把持ブラケット７６の上部は、係止ねじ８２を回動ブラケットおよび把持ブラケットの上部の孔部に挿通することによって固定される。係止ねじは、ナット８４に係合している。
【００４７】
読者は、各把持ブラケット７６が、これに接続されているＴＶブラケット７２に対して回動可能であることを理解するであろう。そして、所望の回動位置が、適切な係止ねじ８２を締めることによって固定される。図示の設計は、後述のように、テレビを主ブラケットに取り付けた後にテレビの傾斜をユーザが調節できるようになっている。
【００４８】
２つの把持ブラケット７６は、把持ブラケットを主ブラケット３８に固定する特徴的機能を備えている。読者は、各把持ブラケットの上部が、背後に向かって延びる延長部を有していることに気付くであろう。この延長部は、上側切欠部７８を有する。同様に、各把持ブラケットの下部は、下側切欠部８０を有する。上側切欠部は、上側フランジ４０上で摺動し、主ブラケット３８上で上側フランジ４０に係合可能な寸法および位置に設定されており、下側切欠部は、下側フランジ４２上で摺動し、主ブラケット３８上で下側フランジ４２に係合可能な寸法および位置に設定されている。切欠部は、ユーザが把持ブラケットと主ブラケットとを係合できるように、先細りの入口、平縁、その他同様の特徴を有していることが好ましい。
【００４９】
次に、図８を参照して、読者は、主ブラケット３８が、それに取り付けられた電子部品・サブウーハ筐体およびスピーカ組立体（統合組立体、ならびにスピーカ取付具およびスピーカ）と共に壁に取り付けられていることに気付くであろう。適切な取付ブラケット（ＴＶブラケットおよび把持ブラケット）が、フラット画面テレビ１０の背面に取り付けられている。ユーザは、矢印で示すように、フラット画面テレビを統合組立体に向けて移動させる。ユーザは、テレビを主ブラケット３８に取り付けるために、上側フランジ４０上で上側切欠部７８を摺動させ、下側フランジ４２上で下側切欠部８０を摺動させる。
【００５０】
図９は、フラット画面テレビ１０を所定位置に取り付けた組立体を示す。スピーカ組立体(左側スピーカ組立体５２，右側スピーカ組立体５４および中央スピーカ組立体５６)は、ユーザの所望の位置に配置されている。テレビを設置する前に、ユーザは、通常、支持体５８、６０、６２を延ばして、スピーカを移動し、テレビの場所を空ける。テレビを所定位置に設置して調節した後、ユーザは、スピーカ組立体をテレビの周縁部に対して押し上げ、スピーカ組立体の回転を所望通りに調節する。
【００５１】
支持体５８、６０、６２は、その調節を可能とし、調節後にその位置を維持できる摩擦機能などの特徴的機能を有していることが好ましい。図９は、若干前方に傾斜させたテレビを示す。典型的な調節の例として、ユーザは、テレビの調節に合わせるために、左側スピーカ組立体５２および右側スピーカ組立体５４を前方に傾斜させてもよい。
【００５２】
図１０は、壁に取り付けた組立体の側面図を示す。左側スピーカ組立体５２は、この図では、見えやすくするために取り除かれている。主ブラケット３８は、壁８８に取り付けられている。読者は、把持ブラケットの切欠部が、主ブラケット３８の上側および下側フランジにどのように係合しているかに気付くであろう。また、読者は、テレビを主ブラケット３８から取り除くことなくテレビの傾斜をどのように調節するかに気付くであろう。傾斜は、側方から到達して係止ねじ８２を弛め、テレビを再び位置決めし、係止ねじを再び締めることによって、調節することができる。
【００５３】
図１０は、電子部品・サブウーハ筐体５０が、フラット画面テレビ１０と壁８８との間の利用可能空間にぴったり嵌っている様子を示す。設置が、電子部品・サブウーハ筐体５０とテレビとの接続を必要とする場合、この接続のためにも空間を利用することができる。図示の例においては、接続ケーブル９０が、電子部品・サブウーハ筐体内の電気部品をフラット画面テレビ１０に接続している。
【００５４】
取付ブラケットの特定の設計は、本発明にとっては重要ではない。したがって、読者は、本発明には、多種多様な取付構成が含まれ、図示の実施形態とは外観や機能が異なる可能性があることに留意すべきである。
【００５５】
同様に、電子部品筐体の設計も、数々の形態を取り得る。しかし、読者の理解の手助けとなり得るので、一実施形態について詳細に説明する。図１１は、電子部品・サブウーハ筐体５０の分解図を示す。シャシ９４は、部品を収容する。シャシは、蓋９２で覆われており、蓋はスナップ嵌合またはねじ止めにより所定位置に固定されている。これらの部材は、繊維強化熱可塑性プラスチックや金属など、適切な材料で形成することができる。
【００５６】
図１２は、蓋を完全に取り除いたシャシ９４を示す。シャシは、アンプ１１６を取り囲む内壁を備えている。スピーカ９６は、「サブウーハ」の機能を果たすことが好ましく、比較的低周波音を取り扱うように設計されていることを意味する。このスピーカは、ここでは「低音域スピーカ」と呼ぶ。低音域スピーカ９６の出力は、シャシの内部に開放されている。内部は共鳴チャンバ９８を構成する。また、シャシは、ポート壁１０２およびポート壁１０４により仕切られた低音ポート１００を備えている。低音ポートは、低音域スピーカ９６により生成される比較的低周波音を出力するように配置されている。
【００５７】
シャシは、その他の特徴的機能も備えている。図示の実施形態において、スピーカ支持体(左側支持体５８、右側支持体６０、中央支持体６２)は、すべて電子部品・サブウーハ筐体に取り付けられている。スピーカ支持体は、主ブラケット３８やその他の部材に直接取り付けることができるので、これは、常に該当するとは限らない。しかし、図示の実施形態においては、左側支持体５８は、摺動、回動により左側受部１０２内に収容される。右側支持体６０は、摺動、回動により右側受部１０８内に収容される。中央支持体６２は、摺動、回動により中央受部１１０内に収容される。
【００５８】
前記のように、受部は、ユーザがスピーカ支持体を係合解除すると、調節を可能とし、スピーカ組立体を所定位置に保持する摩擦による特徴的機能を備えていることが好ましい。摩擦嵌合の一例として、スピーカ支持体を管状とし、管状物にしっかりと外嵌するナイロンブッシングを受部に設ける。
【００５９】
他の部材をシャシ内に収容してもよい。電源１１２は、アンプ１１６に電力を供給する。Ｒ／Ｆモジュール１１４を設けて、スピーカの一部または全てに無線出力を供給してもよい。音響アンプと、左側、右側、中央スピーカ組立体との間の接続は、有線であってもよいし、無線であってもよいし、この２つの併用であってもよい。
【００６０】
アンプ１１６は、多数の形態を取り得る。ある例では、アンプは、外部のサラウンドサウンドアンプから受信した特定チャンネル信号を単に通過させるパススルー装置とすることができる。他の例では、アンプは、ケーブル放送または衛星放送から入力信号を受信して、その信号を適切なチャンネル(左側、右側、中央、背面チャンネル)に分離する、洗練されたサラウンドサウンドアンプであってもよい。
【００６１】
ある態様においては、アンプは、フラット画面テレビからその入力を受信してもよい。他の態様においては、アンプは、アンプとテレビ自体との間の接続がなく、外部ケーブルまたは衛星デコーダからその入力を受信する。
【００６２】
その他の特徴的機能を統合型システムに追加することもできる。図１３は、懸架棚１１８を中央スピーカ組立体５６の下方に追加した実施形態を示す。棚は、中央支持体６２、中央スピーカ組立体自体など、適切な場所に取り付ければよい。ＤＶＲ１２０などの他の部材を棚に配置してもよい。ある実施形態においては、電子部品・サブウーハ筐体は、ＤＶＲやＤＶＤプレーヤなど、多種多様な部材用の電気的接続を備えている。
【００６３】
本発明に示した特定のスピーカ構成や位置は、限定的に解釈すべきではない。図１４は、中央スピーカ組立体５６がテレビ位置の上方に配置されている別の実施形態を示す。この場合、中央支持体６２は、電子部品・サブウーハ筐体の底部ではなく、上部から延びている。
【００６４】
前記のように、主ブラケット３８は、壁または台座に取り付けるように構成されていてもよい。オプションで壁または台座に取り付け可能な主ブラケットを設けることも可能である。図１５は、主ブラケットが台座１２２に取り付けられ、組立体全体が水平面上に載置されている実施形態を示す。この様な場合、主ブラケットは、図３に示す例と同様でなくてもよく、別の形態であってもよい。
【００６５】
前記の説明は、本発明の新規な態様に関する重要な詳細説明を含んでいる。しかし、本発明の範囲を限定するものとして解釈すべきではなく、本発明の好適な実施形態を例示するものとして解釈すべきである。例えば、図示の実施形態は、低音域スピーカが電子部品・サブウーハ筐体内に取り付けられている設計を示しているが、実際には、低音域スピーカは、全く別の筐体内の電子部品筐体に近接して取り付けることができる。したがって、本発明の範囲は、特定の例示ではなく、以下の請求項により定義される。
【符号の説明】
【００６６】
１０  フラット画面テレビ
１２  アンプ
１４  音響ケーブル
１６  中央チャンネルスピーカ
１８  サブウーハ
２０  右側チャンネルスピーカ
２２  左側チャンネルスピーカ
２４  ラック
２６  スピーカケーブル
２８  壁ブラケット
３０  ＴＶブラケット
３２  縦型部材
３４  ＴＶ取付ボルト
３６  ブラケット取付ボルト
３８  主ブラケット
４０  上側フランジ
４２  下側フランジ
４４  開口部
４６  取付スロット
４８  筐体取付孔
５０  電子部品・サブウーハ筐体
５２  左側スピーカ組立体
５４  右側スピーカ組立体
５６  中央スピーカ組立体
５８  左側支持体
６０  右側支持体
６２  中央支持体
６６  螺合受部
６８  電源接続部
７０  Ａ／Ｖ接続ブロック
７２  ＴＶブラケット
７４  ＴＶボルト
７６  把持ブラケット
７８  上側切欠部
８０  下側切欠部
８２  係止ねじ
８４  ナット
８６  回動ブラケット
８８  壁
９０  コネクタケーブル
９２  蓋
９４  シャシ
９６  スピーカ
９８  共鳴チャンバ
１００  低音ポート
１０２  ポート壁部
１０４  ポート壁部
１０６  左側受部
１０８  右側受部
１１０  中央受部
１１２  電源
１１４  Ｒ／Ｆモジュール
１１６  アンプ
１１８  棚
１２０  ＤＶＲ
１２２  台座
【図１】
2012120167.tif 000003
【図２】
2012120167.tif 000004
【図３】
2012120167.tif 000005
【図４】
2012120167.tif 000006
【図５】
2012120167.tif 000007
【図６】
2012120167.tif 000008
【図７】
2012120167.tif 000009
【図８】
2012120167.tif 000010
【図９】
2012120167.tif 000011
【図１０】
2012120167.tif 000012
【図１１】
2012120167.tif 000013
【図１２】
2012120167.tif 000014
【図１３】
2012120167.tif 000015
【図１４】
2012120167.tif 000016
【図１５】
2012120167.tif 000017